(57)【要約】【課題】利用する機器の数に対する認証に要する工程数を抑制する認証プログラム、認証装置及び認証システムを提供する。【解決手段】眼鏡型認証装置１ｄは、利用者５ａの装置の装着及び／又は取外しを検出する装着検出手段１２０と、装着検出手段１２０の検出に基づき当該装置の動作開始及び／又は停止を制御する動作制御手段１２１と、利用者５ａの生体情報を取得する生体情報取得手段１２２と、生体情報取得手段１２２の取得した生体情報に基づいて利用者５ａを認証する認証手段１２３と、認証手段１２３が認証した利用者５ａに関連付けられた利用者情報１８１に基づいて被制御装置３の動作を制御する被制御装置制御手段１２４とを有する。【選択図】図１
2020201805.tif 000002
【特許請求の範囲】
【請求項１】
コンピュータを、
利用者の装置の装着及び／又は取外しを検出する検出手段と、
前記検出手段の検出に基づき当該装置の動作開始及び／又は停止を制御する装置制御手段と、
前記利用者の生体情報を取得する取得手段と、
前記取得手段の取得した前記生体情報に基づいて前記利用者を認証する認証手段と、
前記認証手段が認証した前記利用者に関連付けられた情報に基づいて前記利用者が使用する被制御装置の動作を制御する被制御装置制御手段として機能させるための認証プログラム。
【請求項２】
前記コンピュータを、
前記認証手段が認証した前記利用者に関連付けられた情報に基づいて前記装置の設定を変更する設定変更手段としてさらに機能させる請求項１に記載の認証プログラム。
【請求項３】
前記被制御装置制御手段は、前記認証手段が認証した前記利用者に関連付けられた情報に基づいて前記被制御装置の設定を変更する請求項１又は２に記載の認証プログラム。
【請求項４】
前記コンピュータを、
前記取得手段の取得した前記生体情報に基づいて前記利用者の行動又は状態を特定する特定手段としてさらに機能させ、
前記被制御装置制御手段は、前記特定手段が特定した前記利用者の行動又は状態に基づいて前記利用者が使用する被制御装置の動作を制御する請求項１から３のいずれか１項に記載の認証プログラム。
【請求項５】
利用者の装置の装着及び／又は取外しを検出する検出手段と、
前記検出手段の検出に基づき当該装置の動作開始及び／又は停止を制御する装置制御手段と、
前記利用者の生体情報を取得する取得手段と、
前記取得手段の取得した前記生体情報に基づいて前記利用者を認証する認証手段と、
前記認証手段が認証した前記利用者に関連付けられた情報に基づいて前記利用者が使用する被制御装置の動作を制御する被制御装置制御手段とを有する認証装置。
【請求項６】
利用者が使用する被制御装置と、
前記利用者の装置の装着及び／又は取外しを検出し、検出結果に基づき当該装置の動作開始及び／又は停止を制御するとともに、前記利用者の生体情報を取得し、取得した前記生体情報に基づいて前記利用者を認証して、認証した前記利用者に関連付けられた情報に基づいて前記被制御装置の動作を制御する認証装置とを備えた認証システム。
【発明の詳細な説明】
【技術分野】
【０００１】
本発明は、認証プログラム、認証装置及び認証システムに関する。
【背景技術】
【０００２】
従来の技術として、携帯端末又は眼鏡型端末において環境に応じた虹彩認証を行う認証プログラムが提案されている（例えば、特許文献１参照）。
【０００３】
特許文献１に開示された認証プログラムは、携帯端末又は眼鏡型端末において虹彩認証を行う際に、利用者の目を撮影した画像の特徴量から、直射日光下での認証、半目の状態での認証、視線がそれた状態での認証、ぶれのある撮像での認証、瞳孔が拡散した状態での認証、コンタクトレンズにより虹彩が正常に撮像できない状態での認証等の認証が行いづらい環境の種類を判別し、当該環境を避けるべく利用者に指示をして、環境が整えられた後に認証を行う。
【先行技術文献】
【特許文献】
【０００４】
【特許文献１】特開２０１８‐１２４７３３号公報
【発明の概要】
【発明が解決しようとする課題】
【０００５】
上記した特許文献１の認証プログラムは、認証する対象となる機器について環境を整えてから認証を実行するよう利用者を促すものの、機器の数が複数となれば複数の機器のそれぞれについて認証を行う必要があり、利用する機器の数に応じて認証に要する工程数が増加する、という問題がある。
【０００６】
本発明の目的は、利用する機器の数に対する認証に要する工程数を抑制する認証プログラム、認証装置及び認証システムを提供することにある。
【課題を解決するための手段】
【０００７】
本発明の一態様は、上記目的を達成するため、以下の認証プログラム、認証装置及び認証システムを提供する。
【０００８】
［１］コンピュータを、
利用者の装置の装着及び／又は取外しを検出する検出手段と、
前記検出手段の検出に基づき当該装置の動作開始及び／又は停止を制御する装置制御手段と、
前記利用者の生体情報を取得する取得手段と、
前記取得手段の取得した前記生体情報に基づいて前記利用者を認証する認証手段と、
前記認証手段が認証した前記利用者に関連付けられた情報に基づいて前記利用者が使用する被制御装置の動作を制御する被制御装置制御手段として機能させるための認証プログラム。
［２］前記コンピュータを、
前記認証手段が認証した前記利用者に関連付けられた情報に基づいて前記装置の設定を変更する設定変更手段としてさらに機能させる前記［１］に記載の認証プログラム。
［３］前記被制御装置制御手段は、前記認証手段が認証した前記利用者に関連付けられた情報に基づいて前記被制御装置の設定を変更する前記［１］又は［２］に記載の認証プログラム。
［４］前記コンピュータを、
前記取得手段の取得した前記生体情報に基づいて前記利用者の行動又は状態を特定する特定手段としてさらに機能させ、
前記被制御装置制御手段は、前記特定手段が特定した前記利用者の行動又は状態に基づいて前記利用者が使用する被制御装置の動作を制御する前記［１］から［３］のいずれかに記載の認証プログラム。
［５］利用者の装置の装着及び／又は取外しを検出する検出手段と、
前記検出手段の検出に基づき当該装置の動作開始及び／又は停止を制御する装置制御手段と、
前記利用者の生体情報を取得する取得手段と、
前記取得手段の取得した前記生体情報に基づいて前記利用者を認証する認証手段と、
前記認証手段が認証した前記利用者に関連付けられた情報に基づいて前記利用者が使用する被制御装置の動作を制御する被制御装置制御手段とを有する認証装置。
［６］利用者が使用する被制御装置と、
前記利用者の装置の装着及び／又は取外しを検出し、検出結果に基づき当該装置の動作開始及び／又は停止を制御するとともに、前記利用者の生体情報を取得し、取得した前記生体情報に基づいて前記利用者を認証して、認証した前記利用者に関連付けられた情報に基づいて前記被制御装置の動作を制御する認証装置とを備えた認証システム。
【発明の効果】
【０００９】
請求項１、５、６に係る発明によれば、利用する機器の数に対する認証に要する工程数を抑制することができる。
請求項２に係る発明によれば、認証手段が認証した利用者に関連付けられた情報に基づいて認証装置の設定を変更することができる。
請求項３に係る発明によれば、認証手段が認証した利用者に関連付けられた情報に基づいて被制御装置の設定を変更することができる。
請求項４に係る発明によれば、取得手段の取得した生体情報に基づいて利用者の行動又は状態を特定し、特定した利用者の行動又は状態に基づいて利用者が使用する被制御装置の動作を制御することができる。
【図面の簡単な説明】
【００１０】
【図１】図１は、実施の形態に係る認証システムの構成の一例を示す概略図である。
【図２】図２（ａ）及び（ｂ）は、認証装置と利用者との関係を示す概略図である。
【図３】図３は、実施の形態に係る認証システムの構成の一例を示す概略図である。
【図４】図４は、実施の形態に係る眼鏡型認証装置１ｄの構成例を示す斜視図である。
【図５】図５は、実施の形態に係る眼鏡型認証装置１ｄの構成例を示すブロック図である。
【図６】図６は、利用者情報の構成の一例を示す概略図である。
【図７】図７は、眼鏡設定情報の構成の一例を示す概略図である。
【図８】図８は、被制御装置設定情報の構成の一例を示す概略図である。
【図９】図９は、認証システムの動作例を示すフローチャートである。
【発明を実施するための形態】
【００１１】
［実施の形態］
（認証システムの構成）
図１は、実施の形態に係る認証システムの構成の一例を示す概略図である。
【００１２】
認証システム６は、利用者５に装着又は使用されることにより動作を開始して利用者５を識別して認証する認証装置１と、認証装置１の認証動作を補助する外部認証装置２と、認証装置１によって利用者５が認証された場合に利用者５の使用が許可される（及び／又は利用者５に関連付けられた設定値が反映される）被制御装置３と、ネットワーク４とを有する。なお、認証装置１に利用者５を認証する機能を集約する場合は、外部認証装置２を省略してもよい。また、認証装置１と被制御装置３は一体に構成してもよく、被制御装置３が複数ある場合に複数の被制御装置３のうちのいずれかを認証装置１としてもよい。
【００１３】
認証装置１は、利用者５に装着されるものであり、眼鏡、帽子、イヤリングやネックレス等の身飾品、作業用又は乗物用のヘルメット、靴、ベルト、イヤホン、補聴器等に認証機能を備えたものである。
【００１４】
また、認証装置１は、利用者５に触れられて又は接近されて使用されるものであり、杖、机、椅子、車椅子、車両、スキー、リモコン、自販機、調理器具、食器、カート、スポーツ用品等に認証機能を備えたものである。
【００１５】
また、認証装置１と一体に構成された被制御装置３に対し、利用者５に関連付けられた設定値を反映する例としては、眼鏡であれば視度、掛け心地調整等である。帽子、靴、ベルト、身飾品、ヘルメット、車両、スキー等であればサイズ調整等である。イヤホン、補聴器等であれば音量調整や音質調整等である。車椅子であれば起立機能のダンパー調整等である。食器であれば食器に表示部が設けられた場合は利用者のアレルギー表示や食物の栄養価表示等である。リモコンであれば操作内容等である。自販機であれば提示する販売品等である。
【００１６】
また、認証装置１と別体に構成された被制御装置３に対し、利用者５に関連付けられた設定値を反映する例としては、認証装置１がスーパーマーケットのカートであれば被制御装置３は商品の情報や価格を表示する電子タグであり、電子タグに表示される利用者毎の商品価格、利用者の所有する冷蔵庫内の食品の賞味期限等である。
【００１７】
さらに、認証装置１（被制御装置３）と利用者５との関係は、以下に説明するように、様々な変形例が想定される。
【００１８】
図２（ａ）及び（ｂ）は、認証装置と利用者との関係を示す概略図である。
【００１９】
図２（ａ）に示すように、認証装置１（被制御装置３）に対して利用者５ａ、５ｂ、５ｃ、５ｄ、５ｅ…が、一対多の関係で存在してもよい。つまり、認証装置１が複数の利用者５ａ、５ｂ、５ｃ、５ｄ、５ｅ…によって共有され、利用者５ａ、５ｂ、５ｃ、５ｄ、５ｅ…のいずれかによって使用される場合であり、例えば、認証装置１が使用される利用者に合わせて被制御装置３の使用環境を変化させるものである。
【００２０】
また、図２（ｂ）に示すように、認証装置１ａ、１ｂ、１ｃ…（被制御装置３ａ、３ｂ、３ｃ、３ｄ…）に対して利用者５が、多対一の関係で存在してもよい。つまり、利用者５が複数の認証装置１ａ、１ｂ、１ｃ…のいずれも使用可能な場合であり、例えば、いずれの認証装置１ａ、１ｂ、１ｃ…を使用した場合であっても利用者５に同様の使用環境を与えるものである。
【００２１】
なお、認証装置１と利用者５は、上記した例を拡張して、多対多で存在してもよいし、一対一で存在してもよい。このように様々な使用態様が存在するが、説明のための一態様として、以下、利用者５が複数であり、認証装置１が単数、被制御装置３が複数存在する場合について具体的に説明する。
【００２２】
図３は、実施の形態に係る認証システムの構成の一例を示す概略図である。
【００２３】
この認証システム６ａは、認証装置１としての眼鏡型認証装置１ｄと、外部認証装置２としてのサーバ２ａと、被制御装置３としてのレジ３ａ、携帯端末３ｂ、車３ｃ及びエントランス３ｄとをネットワーク４によって互いに通信可能に接続することで構成される。眼鏡型認証装置１ｄは、利用者５ａ又は５ｂにより装着して使用される。
【００２４】
眼鏡型認証装置１ｄは、眼鏡枠に利用者５ａ及び５ｂの認証機能を有するとともに、被制御装置の動作可否及び／又は設定変更を制御するものであって、本体内に情報を処理するための機能を有するＣＰＵ（Ｃｅｎｔｒａｌ  Ｐｒｏｃｅｓｓｉｎｇ  Ｕｎｉｔ）やフラッシュメモリ、生体情報を取得するためのセンサ、文字や画像を表示するディスプレイ、外部と通信するためのアンテナ等の電子部品を備える。
【００２５】
サーバ２ａは、サーバ型の情報処理装置であり、眼鏡型認証装置１ｄの認証動作を補助するものであって、本体内に情報を処理するための機能を有するＣＰＵやＨＤＤ（Ｈａｒｄ  Ｄｉｓｋ  Ｄｒｉｖｅ）等の電子部品を備える。
【００２６】
レジ３ａ、携帯端末３ｂ、車３ｃ及びエントランス３ｄは、眼鏡型認証装置１ｄによって利用者５ａ、５ｂが認証された場合に利用者５ａ、５ｂの使用が許可される（又は利用者５ａ、５ｂに関連付けられた設定値が反映される）ものであって、レジ３ａ、携帯端末３ｂ、車３ｃ及びエントランス３ｄのそれぞれの機能に加えて使用を許可する機能（又は設定値を反映する機能）を実行するためのＣＰＵやフラッシュメモリ、ＨＤＤ等の電子部品を備える。
【００２７】
ネットワーク４は、高速通信が可能な通信ネットワークであり、例えば、イントラネットやＬＡＮ（Ｌｏｃａｌ  Ａｒｅａ  Ｎｅｔｗｏｒｋ）等の有線又は無線の通信網である。
【００２８】
認証システム６ａは、上記構成において、例えば、利用者５ａ又は５ｂが眼鏡型認証装置１ｄを装着すると眼鏡型認証装置１ｄが動作を開始し、利用者５ａ又は５ｂから生体情報を取得することで利用者５ａ又は５ｂを識別して認証する。眼鏡型認証装置１ｄは、認証動作としてサーバ２ａと通信して利用者を識別するための情報である利用者情報１８１を取得して、当該利用者情報１８１と取得した生体情報とを照合することで利用者を識別する。眼鏡型認証装置１ｄによって利用者５ａ又は５ｂが認証された場合、眼鏡型認証装置１ｄは、利用者５ａ又は５ｂに認証された旨を振動、音声、表示等によりフィードバックするとともに、レジ３ａ、携帯端末３ｂ、車３ｃ又はエントランス３ｄと直接又はサーバ２ａを介して通信し、利用者５ａ又は５ｂの使用を要求する（又は利用者５に関連付けられた設定値を反映するよう要求する）。レジ３ａ、携帯端末３ｂ、車３ｃ又はエントランス３ｄは、眼鏡型認証装置１ｄの要求に応じ、例えば、レジ３ａであれば、利用者５ａ又は５ｂに関連付けられた口座情報やクレジットカード情報を眼鏡型認証装置１ｄから又はサーバ２ａから受信し、当該情報に基づいて決済を行う。また、携帯端末３ｂであれば、眼鏡型認証装置１ｄの要求に応じ、画面ロックを解除する。また、車３ｃであれば、眼鏡型認証装置１ｄの要求に応じ、ドアロックを解除し、利用者５ａ又は５ｂに関連付けられたシート位置に調整する。また、エントランス３ｄであれば、眼鏡型認証装置１ｄの要求に応じ、ドアロックを解除する。なお、眼鏡型認証装置１ｄは、利用者５ａ又は５ｂに使用要求を受け付けた旨を振動、音声、表示等によりフィードバックしてもよい。また、レジ３ａ、携帯端末３ｂ、車３ｃ又はエントランス３ｄは、上記動作の他、眼鏡型認証装置１ｄの要求に応じて、単に電源を投入するのみ、電源投入後に動作待機状態にするのみであってもよい。
【００２９】
（眼鏡型認証装置の構成）
図４は、実施の形態に係る眼鏡型認証装置１ｄの構成例を示す斜視図である。また、図５は、実施の形態に係る眼鏡型認証装置１ｄの構成例を示すブロック図である。
【００３０】
眼鏡型認証装置１ｄは、眼鏡枠であるフレーム１０と、視度調整及び／又は情報表示のためのレンズ１１と、各部を制御するＣＰＵ等で構成される制御部１２と、装着者の眼（虹彩等）を撮影する撮像部（生体情報取得部）と光を照射してレンズ１１に情報を表示するための発光部とを備えたカメラ／発光部１３と、眼鏡鼻あて部分に設けられて眼電位等を検出する生体情報取得部１４と、眼鏡モダン先端部分に設けられて静脈模様、脳波、骨伝導特性等を検出する生体情報取得部１５と、文字や画像等を表示する表示部１６と、アンテナ及び通信モジュール等を備えネットワーク４を介して外部と通信する通信部１７と、フラッシュメモリ等の不揮発性の記憶媒体から構成され情報を記憶する記憶部１８とを有する。
【００３１】
制御部１２は、後述する認証プログラム１８０を実行することで、装着検出手段１２０、動作制御手段１２１、生体情報取得手段１２２、認証手段１２３、被制御装置制御手段１２４、設定変更手段１２５等として機能する。
【００３２】
装着検出手段１２０は、カメラ／発光部１３、生体情報取得部１４、１５等の検出する情報に基づいて利用者５ａ又は５ｂの眼鏡型認証装置１ｄの装着及び取外しを検出する。また、装着検出手段１２０は、図示しないジャイロセンサ等により検出される姿勢変化等により利用者５ａ又は５ｂの眼鏡型認証装置１ｄの装着及び取外しを検出してもよい。
【００３３】
動作制御手段１２１は、装着検出手段１２０が利用者５ａ又は５ｂの眼鏡型認証装置１ｄの装着を検出すると各部の動作を開始し、装着検出手段１２０が利用者５ａ又は５ｂの眼鏡型認証装置１ｄの取外しを検出すると各部の動作を停止する。
【００３４】
生体情報取得手段１２２は、カメラ／発光部１３、生体情報取得部１４、１５から生体情報を取得し生体情報１８２として記憶部１８に格納する。
【００３５】
認証手段１２３は、サーバ２ａから利用者情報１８１を取得して記憶部１８に格納するとともに、利用者情報１８１と生体情報取得手段１２２が取得した生体情報１８２とを照合することで利用者５ａ又は５ｂを認証する。なお、利用者情報１８１はサーバ２ａから取得せずに予め記憶部１８に格納されているものであってもよい。また、認証手段１２３は、バイブレータ（図示せず）、スピーカ（図示せず）、カメラ／発光部１３等により利用者５ａ又は５ｂに認証された旨を振動、音声、表示等でフィードバックしてもよい。
【００３６】
被制御装置制御手段１２４は、認証手段１２３が利用者５ａ又は５ｂを認証すると、レジ３ａ、携帯端末３ｂ、車３ｃ又はエントランス３ｄと通信し、利用者５ａ又は５ｂの使用を要求する。なお、非制御装置制御手段１２４は、使用を要求せず、電源投入を要求するのみ、電源投入後に動作待機状態にすることを要求するのみであってもよい。また、被制御装置制御手段１２４は、バイブレータ（図示せず）、スピーカ（図示せず）、カメラ／発光部１３等により利用者５ａ又は５ｂに使用要求が受け付けられた旨を振動、音声、表示等でフィードバックしてもよい。
【００３７】
設定変更手段１２５は、認証手段１２３が利用者５ａ又は５ｂを認証すると、眼鏡設定情報１８３に基づいて、眼鏡型認証装置１ｄの設定を変更する。また、レジ３ａ、携帯端末３ｂ、車３ｃ又はエントランス３ｄと通信し、被制御装置設定情報１８４に基づいて、レジ３ａ、携帯端末３ｂ、車３ｃ又はエントランス３ｄの設定を変更する。なお、設定変更手段１２５は、バイブレータ（図示せず）、スピーカ（図示せず）、カメラ／発光部１３等により利用者５ａ又は５ｂに設定が変更された旨を振動、音声、表示等でフィードバックしてもよい。
【００３８】
記憶部１８は、制御部１２を上述した各手段１２０‐１２５として動作させる認証プログラム１８０、利用者情報１８１、生体情報１８２、眼鏡設定情報１８３、被制御装置設定情報１８４等を記憶する。
【００３９】
図６は、利用者情報１８１の構成の一例を示す概略図である。
【００４０】
利用者情報１８１は、利用者を識別するための利用者ＩＤと、照合するための生体情報である認証用生体情報と、当該利用者に関連付けられた被制御装置を用いたサービスを示す連携サービスとを有する。なお、認証用生体情報は、予め利用者５ａ及び５ｂから取得された生体情報であるが、眼鏡型認証装置１ｄにおいて取得される生体情報を用いて定期的に更新されるものであってもよい。
【００４１】
図７は、眼鏡設定情報１８３の構成の一例を示す概略図である。
【００４２】
眼鏡設定情報１８３は、利用者ＩＤと、レンズ１１の視度と、レンズ１１の光透過特性を示す調光と、装着者の眼とレンズ１１との距離を示すレンズ距離と、レンズ１１に対して発光部１３から描画される情報の言語を示す言語と、レンズ１１に対して発光部１３から描画される情報の明るさを示す表示明度とを有する。
【００４３】
図８は、被制御装置設定情報１８４の構成の一例を示す概略図である。
【００４４】
被制御装置設定情報１８４は、利用者ＩＤと、連携サービスと、連携サービスで使用される被制御装置の設定値である設定１及び当該設定１の設定値１、設定２及び当該設定２の設定値２…とを有する。
【００４５】
（認証システムの動作）
次に、本実施の形態の作用を説明する。利用者５ａ又は５ｂのいずれが眼鏡型認証装置１ｄを装着してもよいが、以下利用者５ａが装着した場合について説明する。
【００４６】
まず、利用者５ａは、眼鏡型認証装置１ｄを装着する。
【００４７】
図９は、認証システム６ａの動作例を示すフローチャートである。
【００４８】
眼鏡型認証装置１ｄの装着検出手段１２０がカメラ／発光部１３、生体情報取得部１４、１５等の検出する情報に基づいて装着を検出すると（Ｓ１；Ｙｅｓ）、動作制御手段１２１は、装着検出手段１２０が利用者５ａ又は５ｂの眼鏡型認証装置１ｄの装着を検出すると各部の動作を開始する（Ｓ２）。なお、この動作より前にすべての電源がＯＦＦにされている必要はなく、少なくとも被制御装置制御手段１２４及び設定変更手段１２５の電源がＯＦＦになっていればよい。
【００４９】
次に、生体情報取得手段１２２は、カメラ／発光部１３、生体情報取得部１４、１５から眼電位、静脈模様、脳波、骨伝導特性等の生体情報を取得し生体情報１８２として記憶部１８に格納する（Ｓ３）。
【００５０】
次に、認証手段１２３は、サーバ２ａから利用者情報１８１を取得して記憶部１８に格納するとともに、利用者情報１８１と生体情報取得手段１２２が取得した生体情報１８２とを照合し（Ｓ４）、両者が合致した場合、利用者５ａを認証する（Ｓ５）。また、認証手段１２３は、バイブレータ（図示せず）、スピーカ（図示せず）、カメラ／発光部１３等により利用者５ａ又は５ｂに認証された旨を振動、音声、表示等でフィードバックする。
【００５１】
次に、被制御装置制御手段１２４は、認証手段１２３が利用者５ａを認証すると、図６に示す利用者情報１８１を参照し、レジ３ａ、携帯端末３ｂ、車３ｃ又はエントランス３ｄのうち利用者５ａに関連付けられた被制御装置３と通信し、利用者５ａの使用を要求する（Ｓ６）。なお、認証が失敗した場合は眼鏡型認証装置１ｄの電源をＯＦＦにしてもよい。また、被制御装置制御手段１２４は、バイブレータ（図示せず）、スピーカ（図示せず）、カメラ／発光部１３等により利用者５ａ又は５ｂに使用要求が受け付けられた旨を振動、音声、表示等でフィードバックする。
【００５２】
次に、設定変更手段１２５は、認証手段１２３が利用者５ａを認証すると、図７に示す眼鏡設定情報１８３に基づいて、眼鏡型認証装置１ｄの設定を変更して視度、調光、レンズ距離、言語、表示明度等を利用者５ａに合わせた設定とする（Ｓ７）。また、設定変更手段１２５は、バイブレータ（図示せず）、スピーカ（図示せず）、カメラ／発光部１３等により利用者５ａ又は５ｂに設定が変更された旨を振動、音声、表示等でフィードバックする。
【００５３】
また、設定変更手段１２５は、レジ３ａ、携帯端末３ｂ、車３ｃ又はエントランス３ｄと通信し、図８に示す被制御装置設定情報１８４に基づいて、レジ３ａ、携帯端末３ｂ、車３ｃ又はエントランス３ｄのうち利用者５ａに関連付けられた被制御装置３の設定を変更する（Ｓ８）。なお、設定変更手段１２５とレジ３ａ、携帯端末３ｂ、車３ｃ又はエントランス３ｄとの通信方法は、無線又は有線にて直接情報をやりとりするものであってもよいし、眼鏡型認証装置１ｄの表示部１６にバーコードや二次元コード等の画像を表示して、レジ３ａ、携帯端末３ｂ、車３ｃ又はエントランス３ｄに用意された図示しないカメラにより当該画像を読み取ることで通信するものであってもよい。
【００５４】
次に、装着検出手段１２０が利用者５ａの眼鏡型認証装置１ｄの取外しを検出すると（Ｓ９；Ｙｅｓ）、認証手段１２３は認証を解除し（Ｓ１０）、各部の動作を停止して電源ＯＦＦとする（Ｓ１１）。
【００５５】
（実施の形態の効果）
上記した実施の形態によれば、眼鏡型認証装置１ｄを利用者５ａが装着したことで装置の電源をＯＮとし、眼鏡型認証装置１ｄが利用者５ａから取得した生体情報に基づいて認証を行い、複数の被制御装置３（レジ３ａ、携帯端末３ｂ、車３ｃ又はエントランス３ｄ）の動作を制御するようにしたため、図２（ｂ）に示す状況において、利用する機器（被制御装置３；レジ３ａ、携帯端末３ｂ、車３ｃ又はエントランス３ｄ）の数に対する認証に要する工程数を抑制することができる。また、眼鏡型認証装置１ｄを利用者５ａが装着する形状としたため、認証のための操作が不要となりハンズフリーとなる。
【００５６】
また、図２（ａ）に示すように認証装置１に対して複数の利用者５ａ、５ｂ、５ｃ…が存在するような状況であっても、同様に認証動作を行うことができ、さらに複数の認証装置に対して複数の利用者が存在するような状況であっても同様に認証動作が可能である。
【００５７】
［他の実施の形態］
なお、本発明は、上記実施の形態に限定されず、本発明の趣旨を逸脱しない範囲で種々な変形が可能である。
【００５８】
上記実施の形態では、眼鏡型認証装置１ｄの認証動作をきっかけとして被制御装置３の動作許可や設定変更を行ったが、眼鏡型認証装置１ｄのカメラ／発光部１３、生体情報取得部１４、１５から得られる生体情報に基づいて利用者５ａ、５ｂの状態又は行動を特定し、当該状態又は行動の内容に応じて被制御装置３の動作許可や設定変更を行ってもよい。例えば、眼鏡型認証装置１ｄを装着した利用者５ａが店舗内で買い物行動をした後、店舗から出る行動を特定した場合、眼鏡型認証装置１ｄは、利用者５ａが手に取った商品についての決済をするようレジ３ａを動作させる。
【００５９】
眼鏡型認証装置１ｄの方法は上記したものの他、例えば、瞬きの個人特徴による瞬目認証、眼球の形状の個人特徴による眼球形状認証、視線の個人特徴による眼球運動認証等を利用してもよい。
【００６０】
上記実施の形態では制御部１２の各手段１２０〜１２５の機能をプログラムで実現したが、各手段の全て又は一部をＡＳＩＣ等のハードウエアによって実現してもよい。また、上記実施の形態で用いたプログラムをＣＤ‐ＲＯＭ、フラッシュメモリ等の不揮発性の記録媒体に記憶して提供することもできる。また、上記実施の形態で説明した上記ステップの入れ替え、削除、追加等は本発明の要旨を変更しない範囲内で可能である。
【符号の説明】
【００６１】
１、１ａ、１ｂ、１ｃ、１ｄ：認証装置
２      ：外部認証装置
２ａ    ：サーバ
３      ：被制御装置
３ａ    ：レジ
３ｂ    ：携帯端末
３ｃ    ：車
３ｄ    ：エントランス
４      ：ネットワーク
５      ：利用者
６、６ａ：認証システム
１０    ：フレーム
１１    ：レンズ
１２    ：制御部
１３    ：カメラ／発光部
１４    ：生体情報取得部
１５    ：生体情報取得部
１６    ：表示部
１７    ：通信部
１８    ：記憶部
１２０  ：装着検出手段
１２１  ：動作制御手段
１２２  ：生体情報取得手段
１２３  ：認証手段
１２４  ：被制御装置制御手段
１２５  ：設定変更手段
１８０  ：認証プログラム
１８１  ：利用者情報
１８２  ：生体情報
１８３  ：眼鏡設定情報
１８４  ：被制御装置設定情報
【図１】
2020201805.tif 000003
【図２】
2020201805.tif 000004
【図３】
2020201805.tif 000005
【図４】
2020201805.tif 000006
【図５】
2020201805.tif 000007
【図６】
2020201805.tif 000008
【図７】
2020201805.tif 000009
【図８】
2020201805.tif 000010
【図９】
2020201805.tif 000011